(57)【要約】【課題】発熱に応じた細やかな発光規制を行い、放熱時間を適正にとることができるストロボ装置を提供する。【解決手段】当該ストロボ装置のズーム光学系の受ける熱量に応じたカウント値を加算する発光カウンタ（Ｓ２２）と、ストロボ発光が行われない時間に応じたカウント値を発光カウンタから減算する減算手段と発光カウンタが規定のカウント値以上になった場合に発光に規制を行う発光規制手段（Ｓ４〜Ｓ９）とを有し、前記熱量に応じて加算するカウント値を、発光量及びズーム光学系のズーム位置により決定する（Ｓ１９〜Ｓ２１）。【選択図】図２
2008185699.tif 000002
【特許請求の範囲】
【請求項１】
当該ストロボ装置のズーム光学系の受ける熱量に応じたカウント値を加算する発光カウンタと、
ストロボ発光が行われない時間に応じたカウント値を前記発光カウンタから減算する減算手段と、
前記発光カウンタが規定のカウント値以上になった場合に発光に規制を行う発光規制手段とを有し、
前記熱量に応じて加算するカウント値は、発光量及び前記ズーム光学系のズーム位置により決定されることを特徴とするストロボ装置。
【請求項２】
前記減算手段は、電源スイッチがオフに操作されたときには、減算値が０となるまで減算を行うことを特徴とする請求項１に記載のストロボ装置。
【請求項３】
前記減算手段は、電源スイッチがオフに操作されたときには、減算値が規定値となるまで減算を行うことを特徴とする請求項１に記載のストロボ装置。
【請求項４】
前記減算手段は、電源スイッチがオンに操作されたときには、前記電源スイッチのオフ時に記憶された日時情報と今回の前記電源スイッチのオン時の日時情報とから経過時間を演算し、前記電源スイッチのオフ時に記憶された発光カウンタ値から前記経過時間に対応する減算値を減算することを特徴とする請求項１に記載のストロボ装置。
【発明の詳細な説明】
【技術分野】
【０００１】
本発明は、ストロボ発光に伴う温度上昇の緩和対策が施されるストロボ装置に関するものである。
【背景技術】
【０００２】
ストロボ装置の小型化に伴い、該ストロボ装置の発光部も小型化されており、連続的な使用により発光部とその周辺部の温度が上昇し、使用者に不快感を与える場合があった。この点に鑑み、充電動作でカウンタを加算すると共に、タイマによる所定時間が経過したときはカウンタ値を減算すようにし、カウンタ値が設定回数以上になったときにストロボ発光を停止させる。このようにして、温度上昇から保護するストロボ装置が提案（特許文献１）されている。また、ストロボ装置による発光回数をカウントし、このカウント値が所定の値を越えたときに、カメラの動作を規制するようにしたカメラが提案（特許文献２）されている。
【特許文献１】特公平１−２２７１７号公報
【特許文献２】特開平１１−２１２１５１号公報
【発明の開示】
【発明が解決しようとする課題】
【０００３】
しかしながら、上記従来例では、発光量や照射角に係るズーム位置によって温度上昇が大きい場合や小さい場合もあり、これらに対応した細かな制限が出来ないという問題があった。
【０００４】
また、電源スイッチがオフされると発光カウンタがクリアされてしまい、放熱時間を正しく取ることができなかった。そのため、電源スイッチが再投入されると、放熱が行われる前にすぐ連続発光が行われ、温度上昇が設定温度を越えてしまうという問題があった。さらに、規制がかかったままのカウンタ値を記憶しておくことで、電源スイッチを再投入した場合に規制がかかった状態から開始するなどの問題もあった。
【０００５】
（発明の目的）
本発明の目的は、発熱に応じた細やかな発光規制を行い、放熱時間を適正にとることのできるストロボ装置を提供しようとするものである。
【課題を解決するための手段】
【０００６】
上記目的を達成するために、本発明は、当該ストロボ装置のズーム光学系の受ける熱量に応じたカウント値を加算する発光カウンタと、ストロボ発光が行われない時間に応じたカウント値を前記発光カウンタから減算する減算手段と、前記発光カウンタが規定のカウント値以上になった場合に発光に規制を行う発光規制手段とを有し、前記熱量に応じて加算するカウント値は、発光量及び前記ズーム光学系のズーム位置により決定されるトロボ装置とするものである。
【発明の効果】
【０００７】
本発明によれば、発熱に応じた細やかな発光規制を行い、放熱時間を適正にとることができるストロボ装置を提供できるものである。
【発明を実施するための最良の形態】
【０００８】
本発明を実施するための最良の形態は、以下の実施例１及び２に示す通りである。
【実施例１】
【０００９】
図１は本発明の実施例１に係わるカメラシステム（デジタルカメラ、レンズ、ストロボ装置から成る）の構成を示すブロック図である。
【００１０】
実線の四角枠１００はカメラ本体を、点線の四角枠２００はレンズを、実線の四角枠３００はストロボ装置（閃光装置）を、それぞれ示している。
【００１１】
まず、カメラ本体１００内の構成について説明する。
【００１２】
１０１はカメラ１００の各部を制御するマイクロコンピュータ（以下、カメラマイコン）である。１０２は赤外カットフィルタやローパスフィルタ等を含むＣＣＤ，ＣＭＯＳ等の撮像素子であり、後述のレンズ２０２によって被写体が結像される。１０３は撮像素子１０２からの信号をＡ／Ｄ変換するＡ／Ｄ変換器、１０４は撮像素子１０２とＡ／Ｄ変換器１０３の駆動タイミングを発生するタイミングジェネレータ（ＴＧ）である。１０５はＡ／Ｄ変換器１０３でディジタル信号に変換された画像データをパラメータにしたがって画像処理を行うディジタル信号処理回路である。なお、メモリ等は省略する。
【００１３】
１３０はストロボ装置３００とのインタフェースであり、発光開始信号であるＸ端子、ＧＮＤ端子、後述のストロボマイコン３１０との通信クロックであるＳＣＬＫ＿Ｓ端子を有する。さらに、ＳＣＬＫ＿Ｓ端子に同期してカメラマイコン１０１からストロボマイコン３１０にデータを送信するＭＯＳＩ＿Ｓ端子、ＳＣＬＫ＿Ｓ端子に同期してストロボマイコン３１０からカメラマイコン１０１にデータを送信するＭＩＳＯ＿Ｓ端子を有する。そして、カメラマイコン１０１とストロボマイコン３１０間で通信を可能にしている。
【００１４】
１２０はレンズ２００とのインタフェースであり、ＧＮＤ端子、後述のレンズマイコン２０１との通信クロックであるＳＣＬＫ＿Ｌ端子を有する。さらには、ＳＣＬＫ＿Ｌ端子に同期してカメラマイコン１０１からレンズマイコン２０１にデータを送信するＭＯＳＩ＿Ｌ端子、ＳＣＬＫ＿Ｌ端子に同期してレンズマイコン２０１からカメラマイコン１０１にデータを送信するＭＩＳＯ＿Ｌ端子を有する。そして、カメラマイコン１０１とレンズマイコン２０１間で通信を可能にしている。
【００１５】
次に、レンズ２００内の構成と動作について説明する。
【００１６】
２０１はレンズ各部の動作を制御するレンズマイコン、２０２は複数枚で構成されたレンズである。２０３はレンズ２０２内の焦点位置合わせ用の光学系を移動させるレンズ駆動部であり、レンズ２０２の駆動量は、カメラ１００内にある既知の自動焦点検出回路の出力に基づいてカメラマイコン１０１内にて演算により算出される。算出された駆動量はカメラマイコン１０１からレンズマイコン２０１に通信され、駆動量分だけレンズマイコン２０１がレンズ駆動部２０３を動作させ、レンズ２０２が合焦位置へ移動させられる。２０４はレンズ２０２の焦点位置を検出するエンコーダ、２０５は絞り制御回路２０６により制御される絞りである。なお、レンズ２０２の焦点距離は単焦点のものであっても、可変であっても構わない。
【００１７】
次に、ストロボ装置３００の構成について説明する。
【００１８】
３１０はストロボ装置３００の各部の動作を制御するストロボマイコン、３０１は電源である電池、３０２は電池３０１の電圧を数百Ｖに昇圧する昇圧回路、３０３は昇圧回路３０２の出力を充電するメインコンデンサである。３０４，３０５はメインコンデンサ３０３に充電された電圧を分圧する抵抗であり、その分圧点はストロボマイコン３１０のＡ／Ｄ変換端子ＭＣＶ＿ＡＤに接続される。ストロボマイコン３１０は、後述の発光カウンタ、発光タイマなどを内蔵する。
【００１９】
３０７は閃光を発光する放電管であり、メインコンデンサ３０３に充電されたエネルギーを光に変換し、その光を被写体に照射する。３０６は放電管３０７の発光開始時に数ＫＶの電圧を印加させる既知のトリガー回路である。３０８は放電管３０７の発光の開始、停止を制御する発光制御回路である。発光時は、メインコンデンサ３０３の高圧側→放電管３０７→発光制御回路３０８→メインコンデンサ３０３の低圧側（ＧＮＤ）の放電ループが形成される。
【００２０】
３１０は放電管３０７の発光量を受光するセンサとしてのフォトダイオードである。３０９はフォトダイオード３１０の受光電流を積分する積分回路であり、その出力はコンパレータ３１２の反転入力端子とストロボマイコン３１０のＡ／Ｄコンバータ端子ＩＮＴ＿ＡＤ端子に入力される。
【００２１】
コンパレータ３１２の非反転入力はストロボマイコン３１０内のＤ／Ａコンバータ出力ＩＮＴ＿ＤＡＣ端子に接続され、コンパレータ３１２の出力はＡＮＤゲート３１１に接続される。ＡＮＤゲート３１１のもう一方の入力はストロボマイコン３１０のＦＬ＿ＳＴＡＲＴ端子と接続され、ＡＮＤゲート３１１の出力は発光制御回路３０８に入力される。
【００２２】
３１５は反射傘、３１６はストロボ装置３００の照射角を変更するズーム光学系である。ここで、反射傘３１５とズーム光学系３１６の距離を適当に変更することにより、被写体への照射ガイドナンバー及び配光を変化させることが可能となる。
【００２３】
３１３はズーム光学系３１６を移動させるズーム駆動部であり、ズーム光学系３１６の駆動量はストロボマイコン３１０のＺＯＯＭ端子より駆動される。このズーム駆動量はレンズマイコン２０１からカメラマイコン１０１を介してレンズの焦点距離情報としてストロボマイコン３１０に通信される。３１４はズーム光学系３１６のズーム位置を検出するエンコーダ等の位置検出部であり、ストロボマイコン３１０のＰＯＳＩ端子に移動情報を与え、ストロボマイコン３１０のＺＯＯＭ端子にて必要な駆動量分だけズーム駆動部３１３内のモータを動作させる。
【００２４】
３２０は各種入力部（入力インタフェース）であり、例えばストロボ装置３００の側面などにスイッチが設置されており、手動によりズーム情報を入力することも可能である。３２１はストロボ装置３００の各状態を表示する表示部である。
【００２５】
次に、図２のフローチャートにしたがって、ストロボ装置３００の充電シーケンス（発熱制御を含む）の説明を行う。
【００２６】
充電が開始されると、充電シーケンスがスタートし、まず、ステップＳ１にて、充電処理を行う。詳しくは、ストロボマイコン３１０がＣＨＧ＿ＯＮ端子をＨレベル（高電圧）にして昇圧回路３０２を動作させ、メインコンデンサ３０３を充電する。メインコンデンサ３０３の電圧は抵抗３０４，３０５で分圧され、この電圧がＭＣＶ＿ＡＤ端子を介してストロボマイコン３１０に入力され、内蔵されたＡ／Ｄ変換器により検出される（ＭＣＶ）。
【００２７】
次のステップＳ２では、充電開始からの時間を計測する充電タイマのカウント（計数）を開始する。そして、次のステップＳ３にて、昇圧回路３０２によりメインコンデンサ３０３の電圧が所定の充電電圧となるまで充電を行う。充電が完了するとステップＳ４へ進み、発光カウンタのカウント値を確認する。このカウント値は、後述する発光量及びズーム位置により決定される発光カウント値に対し、一定時間内に発光があった場合に加算された値である。
【００２８】
次のステップＳ５では、発光カウンタのカウント値が１２８０カウント以下であるか否かを判定し、１２８０カウント以下であればステップＳ６へ進み、１２８０カウントを超えていればステップＳ７へ進む。ステップＳ６へ進むと、発光カウンタのカウント値が９６０以上であるか否かの判定を行う。この結果、９６０カウント未満であればステップＳ９へ進み、９６０カウント以上であればステップＳ８へ進む。
【００２９】
上記のように、発光カウンタのカウント値が１２８０カウント以下であるが、９６０カウント以上であると判定した場合（９６０≦発光カウントのカウント値≦１２８０）には、ステップＳ５→Ｓ６→Ｓ８へと進む。そして、ステップＳ８では、充電タイマを確認し、充電開始より例えば８秒が経過するのを待機し、８秒が経過するとステップＳ９へ進む。また、上記したように発光カウンタのカウント値が１２８０カウント以上と判定した場合はステップＳ７へ進み、充電開始より例えば２０秒が経過するのを待機し、２０秒が経過するとステップＳ９へ進む。また、発光カウンタのカウント値が９６０未満であればそのままステップ９へ進む。
【００３０】
なお、発光カウンタのカウント値が１２８０カウント以上の場合は、ステップＳ７にて２０秒経過するのを待機するようにしている。これはストロボ装置３００が繰り返し使用された場合に、該ストロボ装置３００の光学系に影響の無いような温度で熱平衡温度となる時間間隔（放熱時間）の一例を示したものである。また、発光カウンタのカウント値が１２８０カウント以下かつ９６０カウント以上の場合は、ステップＳ８にて例えば８秒の発光間隔としている。これは急に充電に２０秒かかる状態にすると故障と判定され易いために、通常の充電時間に対して２〜４倍程度の時間間隔としている。
【００３１】
ステップＳ９へ進むと、ストロボマイコン３１０がメインコンデンサ３０３の充電が完了したことを示す充電完了表示を表示部３２１内の発光ダイオード等により行わせる。このステップＳ９での充電完了表示により見かけ上の充電が完了する。そして、これと同時にストロボマイコン３１０はカメラマイコン１０１にストロボ装置３００の入力部インタフェース１３０のＭＩＳＯ_Ｓ端子を介して発光準備が完了したことの情報をカメラマイコン３１０に与える。これによりカメラマイコン１０１からストロボ装置３００の入力部インタフェース１３０のＭＯＳＩ＿Ｓ端子を介して入力されたカメラの絞りやＩＳＯ感度情報で決定する発光量がストロボマイコン３１０に設定される。すると、ストロボマイコン３１０は設定された発光量に応じた電圧をＩＮＴ＿ＤＡＣ端子から出力してコンパレータ３１２の非反転入力端子に与える。コンパレータ３１２の反転入力端子は、この時点では反射光が入力していないのでＬレベル（低電圧）であり、コンパレータ３１２の出力はＨレベルとなる。
【００３２】
次のステップＳ１０では、図示しないカメラのシャッターが押され、カメラマイコン１０１よりインタフェース１３０のＸ端子を介して発光開始信号がストロボマイコン３１０に入力される。すると、ストロボマイコン３１０はステップＳ１５へ処理を進める。そして、ストロボマイコン３１０はステップＳ１５にて、抵抗３０４，３０５で分圧されたメインコンデンサ３０３の電圧をＭＣＶ＿ＡＤ端子を介して測定する。そして、次のステップＳ１６にて、ストロボ発光を行う。
【００３３】
上記のストロボ発光は、ストロボマイコン３１０により制御される。詳しくは、ＦＬ＿ＳＴＡＲＴ端子よりＨレベルを出力し、ＡＮＤゲート３１１の両入力をＨレベルとして発光制御回路３０８にＨレベル信号を与え、発光の準備を整える。そして、ＴＲＩＧ端子からＨレベルを所定時間出力し、放電管３０７を励起させて発光制御回路３０８を介して発光を開始させる。またこれと同時に、ＩＮＴ＿ＳＴ端子をＨレベルにして積分回路３０９の動作を開始する。その後、被写体より反射される反射光がフォトダイオード３１０で受光され、積分回路３０９で積分される。そして、積分出力がＩＮＴ＿ＤＡＣ端子で設定した値より高くなると、コンパレータ３１２の出力がＨレベルからＬレベルとなる。これにより、ＡＮＤゲート３１１介して発光制御回路３０８がＬレベルの信号を受け、該発光制御回路３０８が放電ループを遮断し、発光を停止させる。
【００３４】
ストロボ発光の終了後はステップＳ１７へ進み、ストロボマイコン３１０が発光タイマを確認し、前回の発光からの時間を調べ、例えば２０秒以内であればステップＳ１８へ進み、そうでなければステップＳ２４へ進む。ステップＳ１８へ進むと、後述の発光フラグを確認し、発光フラグが“１”の場合はステップＳ１９へ進み、そうでなければステップＳ２３へ進む。ステップＳ１９へ進むと、ストロボマイコン３１０は抵抗３０４，３０５で分圧された発光後のメインコンデンサ３０３の電圧をＭＣＶ＿ＡＤ端子を介して検出する。そして、ステップＳ１５にて発光直前に検出した充電電圧と発光後に検出した充電電圧から発光量を算出する。
【００３５】
次のステップＳ２０では、ストロボマイコン３１０はズーム駆動部３１３により駆動されたズーム位置を位置検出部３１４より確認する。続くステップＳ２１では、上記ステップＳ１５、ステップＳ１９及びステップＳ２０により得られた、メインコンデンサ３０３の電圧情報（発光量）及び位置検出部３１４によるズーム位置情報を用いて演算を行い、加算する発光カウント値を決定する。
【００３６】
ここで、上記ステップＳ１９での発光量は、図３に示すテーブルにより、発光前後のメインコンデンサ３０３の電圧差より算出される。図３はメインコンデンサ３０３のフル充電電圧を３３０Ｖとしており、発光量が１／１６光量毎のステップで重み付けされていて、この重み付け値がそれぞれ１６から０まで設定されている。このテーブルから発光前のメインコンデンサ３０３の電圧が３３０Ｖであれば重み付け値１６、発光後メインコンデンサ３０３の電圧が２３３Ｖであれば重み付け値が８として与えられ、この重み付け値の差の１／１６倍が発光量となる。従って、
（発光前のメインコンデンサ３０３の電圧の重み付値−発光後のメインコンデンサ３０３の電圧の重み付値）／１６＝（１６−８）／１６
＝１／２
のようにして発光量が算出される。
【００３７】
図２のフローチャートでは、フル充電電圧の３３０Ｖから発光が行われるように説明されている。しかし同様に、発光前の電圧が３０９Ｖであれば重み付け値１４、発光後２０２Ｖであれば６が重み付け値として与えられ、この重み付け値の差の１／１６倍が発光量となる。従って、（１４−６）／１６＝１／２となり、前述の発光量と同一の発光量が算出される。
【００３８】
フル発光の場合は３３０Ｖから７０Ｖ以下の残留電圧となるため、重み付け値０となり、（１６−０）／１６＝１／１となる。光量の分割数をここでは１／１６ステップとしているが、必要であれば１／３２や１／６４と分割ステップを細かくすることも可能である。
【００３９】
このように、メインコンデンサ３０３の発光前後の電圧差から発光量を検出し、次のステップＳ２１にて、ズーム光学系３１６と放電管３０７及び反射傘３１５を含む発光部のズーム位置によりカウント値を演算する。
【００４０】
ここで、図４に、本実施例１に係わる発光部を示す。
【００４１】
図４には、ズーム光学系３１６と反射傘３１５及び放電管３０７からなる発光部の位置関係を示している。この実施例１において、図４（ａ）はワイド位置を示しており、反射傘３１５及び放電管３０７からなるユニットの位置が矢印で示す様に前面のズーム光学系３１６と近接している。一方、図４（ｂ）は、テレ位置を示しており、反射傘３１及び放電管３０７からなるユニットとズーム光学系３１６の間隔が大きくなっている。従って、放電管３０７からのズーム光学系３１６へ発光時に与えられる熱量はズーム位置による間隔により大きく変化する。
【００４２】
例えば図５でその一例を示せば、ズーム光学系３１６に影響を与えない程度の上昇温度を設定温度とする場合、この設定温度に到達する発光回数はワイド側２４ｍｍで３０回程度、テレ側１０５ｍｍでは１２０回と４倍の差となる。図６に示すように、発光前後のメインコンデンサ３０３の電圧（ＶＣＭ）から得られた発光量とズーム位置からストロボマイコン３１０内の記憶メモリに最終の重み付け値が発光カウント値として記憶されている。
【００４３】
このようにしてステップＳ２１にて、１回の発光に対応した発光カウント値がメインコンデンサ３０３の発光前後の電圧差により求められた発光量とズーム位置とにより決定される。例えば、ズーム位置２４ｍｍでフル発光の場合、発光カウント値は３２カウント、ズーム位置３５ｍｍで１／２発光の場合は１２カウント、ズーム位置１０５ｍｍで１／４発光の場合は２カウント、というように決定される。図６中のカウント値に０が無いのは、最終的には安全規制が加わるようにするためである。
【００４４】
上記ステップＳ２１で決定された発光カウント値は次のステップＳ２２にて、発光カウンタに加算される。そして、次のステップ２５にて、発光タイマをリセットし、再び６０秒のカウントを始め、次回の発光までの時間を計時する。
【００４５】
また、上記ステップＳ１７で発光タイマが２０秒を越えている場合はステップＳ２４へ進み、発光フラッグを０とした後にステップＳ２５へ進む。そして、発光タイマをリセットして再び６０秒の発光タイマのカウントを行う。
【００４６】
また、上記ステップＳ１７で発光タイマのカウント値がカウント開始から２０秒以内であり、ステップＳ１８で発光フラッグが１でなかった場合はステップＳ２３へ進み、発光フラグを１としてステップＳ２５へ進む。そして、発光タイマをリセットして再び６０秒の発光タイマのカウントを行う。
【００４７】
また、上記ステップＳ１０にてストロボの発光要求が無かった場合はステップＳ１１へ進む。そして、発光タイマがタイムアップしているか否かを検出し、タイムアップを検出しなければステップＳ１０へ戻り、同様の動作を繰り返す。一方、タイムアップを検出するとステップＳ１２へ進み、所定の発光カウント値を発光カウンタから減算する。そして、次のステップＳ１３にて、発光フラグを０としてステップＳ１４へ進む。ステップＳ１４では、発光タイマをリセットし、再び６０秒の発光タイマのカウントを開始して、ステップＳ１０へ戻り、同様の動作を繰り返す。
【００４８】
ストロボ装置３００の発光が無い場合には、発光タイマのタイムアップ毎に所定のカウント値を発光カウンタから減算する。この減算のカウント値は発光部の放熱時間により決定され、放熱が１５分程度で初期の温度に戻るストロボ装置の場合には、ステップＳ６にて９６０（１５×６０）カウントで規制がかかる。
【００４９】
ここでは、１分毎に６４カウントの減算が行われるように設定されている。従って、発光カウンタ値９６０／６４カウント＝１５分で発光カウンタのカウント値が０となるように設定されることになる。また、放熱時間が長い場合には、減算値を少なく、放熱時間が短い場合には、減算値を大きくすることで、ストロボ装置３００の放熱を確実に行うことが出来る。
【００５０】
図２の充電シーケンスを繰り返すことで、２０秒以内に連続発光される発光を、発光量とズーム位置により決定する発光カウント値を加算して、９６０カウントとなった場合に充電開始から８秒間の発光規制とする。また、さらに連続発光を行うことで１２８０カウントに達すると、充電開始から２０秒間の発光規制とする。
【００５１】
従って、この実施例１では、図５に示すように、焦点距離が２４ｍｍで、フル発光の場合は、３０回の連続発光まで連続発光を許容される。また、７０ｍｍ、フル発光の場合は、８０回の、７０ｍｍ、１／２発光の場合は１６０回の、それぞれ連続発光を許容するようにしている。
【００５２】
さらにここでは、２０秒の連続発光をしても設定温度以下で熱平衡温度となる発光間隔になる前に、８秒間隔を設けている。つまり、急に発光間隔が伸びることでユーザーが故障と判断するのを避けるために、ワイド側のフル発光換算値で１０回分の充電時間延長を行っている。この時間は数段階に分けて設けるようにしても良い。
【００５３】
このような場合のズーム光学系３１６の発熱グラフを、図７に示している。
【００５４】
短い時間間隔で連続発光する“連続発光１”の領域では、光学系３１６の温度は急峻に上昇し、発光量およびズーム位置で決定される所定回数で温度上昇を規制する設定温度に近づく。図７でヒゲ様に立ち上がっているのは熱電対での比熱差による温度上昇誤差で、発光部温度は安定した緩やかなカーブの温度となる。“連続発光２”の領域では、発光間隔を所定時間に延長し、発光量およびズーム位置で決定する所定の連続発光回数を許容する。最終的に“連続発光３”領域にて、設定温度以下で熱平衡温度となる所定の時間で発光を許容する。
【００５５】
このようにして発熱温度上昇規制が行われ、設定温度以上にならないように発光制御が行われる。そして、連続発光が終了すると、ズーム光学系３１６の温度が放熱により低下する。
【００５６】
実施例１では、“連続発光２”を８秒間隔、“連続発光３”を２０秒間隔、放熱時間を約１５分として説明を行った。そして、各光量とズーム光学系の位置により、図８に示す発光許容回数となった。従って、発光量と各ズーム位置にて、ズーム光学系３１６と放電管３０７及び反射傘３１５を含む発光部の距離変化に対応した発光許容回数を設定することが出来た。
【００５７】
次に、図９を用いて、ストロボマイコン３１０により実行される電源スイッチをオフにされた場合の発光カウンタのリセットに関しての説明を行う。
【００５８】
ステップＳ１０１にて、ストロボマイコン３１０は入力部３２０より図示しない電源スイッチがＯＦＦされたことを判定するとステップＳ１０２へ進み、ストロボ装置３００に具備される表示部３２１の表示をオフする。そして、次のステップＳ１０３にて、発光カウンタのカウント値を確認し、発光カウンタのカウント値が０にリセットされていればステップＳ１０４へ進み、電源をオフするための処理を行い、動作を停止し終了する。
【００５９】
また、ステップＳ１０３にて発光カウンタのカウント値が０でない場合はステップＳ１０５へ進み、減算タイマをスタートさせる。そして、次のステップＳ１０６にて、減算タイマのカウントアップを待ち、タイムアップするとステップＳ１０７へ進み、所定カウント値を減算する。そして、ステップＳ１０１に戻り、同様の動作を繰り返す。
【００６０】
以上の処理を行うことにより、ズーム光学系３１６の発熱が放熱される。
【００６１】
本実施例１では、約３０秒で３２カウントの減算を行っている。従って、カウント値が９６０に達している場合は約１５分で発光カウンタのリセットが行われ、１５分の経過によりズーム光学系３１６の発熱は放熱され、ほぼ元の環境温度に戻る。発光カウンタが０となると、上記したようにステップＳ１０４で電源をオフするための処理を行い、動作を停止し終了する。
【００６２】
ここで、電源スイッチがオフしてから発光カウンタのカウント値が０にリセットするまでには、本実施例では、１５分の時間がかかる。このため、使用されるマイコンに低消費での減算機能が無い場合には、消費電流を少なくする事が望ましい。この場合には、例えば９６０カウントに対して４８０カウントと途中までのカウント値（規定値）となるまでの減算を行うことでも良い。この場合、電源スイッチオン時の連続発光回数規制までの回数は低下するが、電源スイッチのオンにより減算がすぐ開始するため、操作性が大きく損なわれることはない。
【実施例２】
【００６３】
図１０は本発明の実施例２に係わるカメラシステムに係わる電源オフ時のストロボマイコン３１０での発光カウンタのリセット動作について説明するフローチャートであり、上記実施例１の図９のフローチャートに対応する。カメラシステムの構成やその他の動作は実施例１と同様であるものとする。
【００６４】
ストロボ装置３００の発光での発光カウンタの加算及び発光タイマのタイムアップによる減算がストロボマイコン３１０により行われている時に、不図示の電源スイッチが入力部３２０を介してオフと入力されたとする。
【００６５】
すると、ストロボマイコン３１０はステップＳ２０１にて、発光カウンタのカウント値を内部の記憶部に格納する。そして、次のステップＳ２０２にて、内部の日時情報、詳しくはカレンダー（日付）、時計情報を、同様に内部の記憶部に格納する。そして、電源オフへの移行処理を終え、電源オフ記憶シーケンス終了する。
【００６６】
次に、不図示の電源スイッチのオンが入力部３２０を介して入力された時のストロボマイコン３１０での動作について、図１１のフローチャートにしたがって説明する。
【００６７】
不図示の電源スイッチのオンが入力部３２０を介して入力されると、ストロボマイコン３１０はステップＳ３０１にて、初期化動作を行う。そして、次のステップＳ３０２にて、電源オフ時に記憶（図９のステップＳ２０１）された発光カウンタのカウント値を発光カウンタにセットする。続くステップＳ３０３では、発光カウンタのカウント値が０であるか否かを判定し、０であれば充電スタートシーケンスに進む。
【００６８】
また、上記ステップＳ３０３にて発光カウンタのカウント値が０でない場合はステップＳ３０４へ進み、電源スイッチのオフ時に記憶（図９のステップＳ２０２）された日時情報（カレンダー及び時計情報）と現在のデータより時間経過を演算する。そして、次のステップＳ３０５にて、経過時間に対応する減算値を発光カウンタから減算し、図２で示した充電スタートシーケンスへ進む。
【００６９】
本実施例２では、経過時間で約３０秒毎に３２カウントの減算を行う。従って、９６０カウントに達していて発光の規制が掛かっていた場合には、リセットに１５分の時間を要する。１５分以上の経過時間が経っていればズーム光学系３１６の発熱は放熱され、ほぼ元の環境温度に戻るため、発光カウンタのリセットが行われて良い。
【００７０】
上記実施例１及び２によれば、放電管３０７の発光量及びズーム光学系３１６のズーム位置によりズーム光学系３１６の受ける熱量を演算し、この熱量に応じたカウント値を決定する。そして、このカウンタ値を発光カウンタに加算する。また、連続発光が行われない場合には、減算手段（図２のステップ１２）にて使用されない時間に応じたカウント値を発光カウンタから減算する。そして、連続発光が行われ、発光カウンタ値が規定のカウント値（１２８０カウンタもしくは９６０カウンタ）以上になった場合には、一定時間（２０秒もしくは８秒）以上、発光を規制する構成にしている。よって、ズーム光学系３１６の発熱を緩和することができる。つまり、発熱に応じた細やかな発光制限を行え、放熱時間を適正に取ることができる。
【００７１】
上記減算手段は、不図示の電源スイッチの状態（オン／オフ）によらず、換言すれば、電源スイッチがオフされても、発光カウンタの減算を行うようにしている。これにより、ズーム光学系３１６の放熱のための経過時間に応じた減算を行うことができる。つまり、放熱時間を正しく取ることができる。よって、電源スイッチが再投入された場合でも、経過時間に応じた連続発光が可能となり、操作性が向上できた。
【００７２】
発光量及びズーム位置でズーム光学系３１６への熱量を決定する構成にしているので、発光制限を細やかに掛けることができ、不必要な場合にも規制が掛かってしまうことを防止できる。
【００７３】
上記実施例1及び２では、外付けのストロボ装置３００を例にしているが、カメラに内蔵されるストロボ装置であっても、同様に適用できるものである。
【００７４】
（本発明と実施例の対応）
本発明の発光カウンタは、ストロボマイコン３１０に内蔵され、図２のステップＳ４，Ｓ２２などで使用されるものである。減算手段は、図２のステップＳ１２や図９のステップＳ１０７などを実行するストロボマイコン３１０に相当する。発光規制手段は、図２のステップＳ４からステップＳ９までを実行するストロボマイコン３１０に相当する。また、発光カウンタが規定のカウント値以上となった場合とは、図２のステップＳ５で、１２８０カウントを超えた場合や、ステップＳ６で、９６０カウント以上の場合である。
【図面の簡単な説明】
【００７５】
【図１】本発明の実施例１に係わるストロボ装置を含むカメラシステムの構成を示すブロック図である。
【図２】本発明の実施例１に係わるストロボ装置の充電シーケンスを説明するためのフローチャートである。
【図３】本発明の実施例１におけるストロボ装置の発光量の算出に係わる図である。
【図４】本発明の実施例１に係わる発光部を説明するための構成図である。
【図５】本発明の実施例１におけるズーム位置と設定温度到達回数の関係を示す図である。
【図６】本発明の実施例１におけるストロボ装置の発光カウント値を説明するための図である。
【図７】本発明の実施例１におけるストロボ装置のズーム光学系の発熱について説明するための図である。
【図８】本発明の実施例１におけるストロボ装置の連続発光許容回数を説明するための図である。
【図９】本発明の実施例１に係わる電源オフシーケンスを説明するためのフローチャートである。
【図１０】本発明の実施例２に係わる電源オフ記憶シーケンスを説明するためのフローチャートである。
【図１１】本発明の実施例２に係わる電源オンシーケンスを説明するためのフローチャートである。
【符号の説明】
【００７６】
１００    カメラ
１０２    撮像素子
２００    交換レンズ
２０２    レンズ
３００    ストロボ装置
３０３    メインコンデンサ
３０７    放電管
３０８    発光制御部
３１０    ストロボマイコン
３１３    ズーム駆動部
３１４    位置検出部
３１５    反射傘
３１６    ズーム光学系
【図１】
2008185699.tif 000003
【図２】
2008185699.tif 000004
【図３】
2008185699.tif 000005
【図４】
2008185699.tif 000006
【図５】
2008185699.tif 000007
【図６】
2008185699.tif 000008
【図７】
2008185699.tif 000009
【図８】
2008185699.tif 000010
【図９】
2008185699.tif 000011
【図１０】
2008185699.tif 000012
【図１１】
2008185699.tif 000013